(57)【要約】【課題】  ユーザの録画指示がない場合でも簡単な操作でリアルタイムに視聴している放送の過去の部分を再生すること。【解決手段】視聴中番組の再生位置の変更を行ない、その再生位置が番組の再生可能期間内かを比較し再生可否を決定する第一ステップと、第一ステップにて再生可能の場合には再生位置の変更を行なう第二ステップと、第一ステップにて再生不可の場合には少なくとも１つ以上の経路から前記番組を番組識別情報に基づき検索し、さらに、検索された番組の再生可能期間内に再生位置があるかを比較し経路を決定する第三ステップを備え、前記第三ステップにて決定した経路へ受信経路を切り替えることにより、放送アーカイブを利用して視聴中番組の過去の部分を再生することができる。【選択図】  図３
2005136974.tif 000002
【特許請求の範囲】
【請求項１】
少なくとも１つ以上の経路上に同一コンテンツが存在し、選択した受信経路からスケジュールに従って配信されるコンテンツを受信する方法において、
外部入力により、視聴している前記コンテンツの再生位置の変更指示が行なわれた場合、前記再生位置が前記コンテンツの再生可能期間内かを比較して再生可否を決定する第一ステップと、
前記第一ステップにて再生可能の場合には再生位置の変更を行なう第二ステップと、
前記第一ステップにて再生不可の場合には少なくとも１つ以上の経路から、前記コンテンツを記録したアーカイブをコンテンツ識別情報に基づき検索し、さらに、検索された前記アーカイブに設定された再生可能期間内に前記再生位置が存在する前記アーカイブに対して、前記アーカイブに設定された利用条件に基づき前記アーカイブの再生可否の判断を行い、再生可能な場合は前記アーカイブを再生するための受信経路に決定する第三ステップを備え、
前記第三ステップにて決定した受信経路へ切り替えることを特徴とする放送アーカイブ利用方法。
【請求項２】
請求項１記載の放送アーカイブ利用方法の第三ステップにおいて、
前記アーカイブに設定される利用条件が対価を支払うことにより前記アーカイブを再生可能とするという条件であることを特徴とする放送アーカイブ利用方法。
【請求項３】
請求項１記載の放送アーカイブ利用方法の第三ステップにおいて、
前記アーカイブに設定される利用条件が前記アーカイブに対する対価を事前に支払っているという条件であることを特徴とする放送アーカイブ利用方法。
【請求項４】
請求項１記載の放送アーカイブ利用方法の第三ステップにおいて、
前記アーカイブに設定される利用条件が利用者の属性情報もしくは利用者の操作履歴もしくは利用者の視聴履歴により再生可能とする条件であることを特徴とする放送アーカイブ利用方法。
【請求項５】
請求項１乃至４のいずれかに記載の放送アーカイブ利用方法において、
外部入力がトリックプレイ操作による信号であることを特徴とする放送アーカイブ利用方法。
【請求項６】
請求項５記載の放送アーカイブ利用方法において、
外部入力からのコンテンツの再生位置の変更指示を受けることなく、視聴している番組のコンテンツ識別情報に基づき少なくとも１つ以上の経路から前記コンテンツを記録したアーカイブを検索し、さらに、検索された前記アーカイブに設定された再生可能期間に基づいて、再生位置の変更指示の操作が可能なトリックプレイ命令を出力することを特徴とする放送アーカイブ利用方法。
【請求項７】
請求項６記載の放送アーカイブ利用方法において
視聴している番組のコンテンツ識別情報に基づき少なくとも１つ以上の経路から前記コンテンツを記録したアーカイブを検索し、さらに、検索された前記アーカイブに設定された再生可能期間及び利用条件に基づいて、再生位置の変更指示の操作が可能なトリックプレイ命令および、利用条件を出力することを特徴とする放送アーカイブ利用方法。
【請求項８】
請求項６または７記載の放送アーカイブ利用方法において、
視聴している番組のコンテンツ識別情報に基づき少なくとも１つ以上の経路から前記コンテンツを記録したアーカイブを検索し、検索された前記アーカイブの利用条件が対価を支払うことにより再生可能となる場合、ユーザが前記アーカイブへの切り換えを選択すると同画面もしくは別画面に前記利用条件を提示し、支払いを行うことを事前確認する画面を出力することを特徴とする放送アーカイブ利用方法。
【請求項９】
請求項１乃至８のいずれかに記載の放送アーカイブ利用方法において、
前記アーカイブの検索時に、前記視聴している番組に付与された情報と検出されたアーカイブに付与された情報により、前記アーカイブの正当性を判断することを特徴とする放送アーカイブ利用方法。
【請求項１０】
請求項９記載の放送アーカイブ利用方法において、
前記判断を行うときに、前記アーカイブの在り処が暗号化されており、前記視聴している番組に付与された情報と検出されたアーカイブに付与された情報をあわせて、前記アーカイブの在り処の暗号が解けることにより前記アーカイブの正当性を判断することを特徴とする放送アーカイブ利用方法。
【請求項１１】
少なくとも１つ以上の経路上に同一コンテンツが存在し、選択した受信経路からスケジュールに従って配信されるコンテンツを受信する放送アーカイブ受信装置において、
外部からの再生位置の変更指示入力を行なうための入力手段と、
入力手段からの指示入力により、視聴している前記コンテンツの再生位置の変更を行なう再生位置変更手段と、
前記変更された再生位置が前記コンテンツの再生可能期間内かを比較して再生可否を決定し、再生可能の場合には再生位置の変更を行ない、再生不可の場合には少なくとも１つ以上の経路から前記コンテンツを記録したアーカイブをコンテンツ識別情報に基づき検索し、さらに、検索された前記アーカイブに設定された再生可能期間及び、利用条件に基づき前記アーカイブの再生可否の判断を行い、前記アーカイブを再生するための受信経路に決定する再生制御手段と、
前記再生制御手段が決定した受信経路へ切り替える受信経路切替手段とを有することを特徴とする放送アーカイブ受信装置。
【請求項１２】
請求項１１記載の放送アーカイブ受信装置において、
前記アーカイブに設定される利用条件が対価を支払うことにより前記アーカイブを再生可能とするという条件であることを特徴とする放送アーカイブ受信装置。
【請求項１３】
請求項１１記載の放送アーカイブ受信装置において、
前記アーカイブに設定される利用条件が前記アーカイブに対する対価を事前に支払っているという条件であることを特徴とする放送アーカイブ受信装置。
【請求項１４】
請求項１１記載の放送アーカイブ受信装置において、
前記アーカイブに設定される利用条件が利用者の属性情報もしくは利用者の操作履歴もしくは利用者の視聴履歴により再生可能とする条件であることを特徴とする放送アーカイブ受信装置。
【請求項１５】
請求項１１乃至１４のいずれかに記載の放送アーカイブ受信装置において、
外部入力がトリックプレイ操作による信号であることを特徴とする放送アーカイブ受信装置。
【請求項１６】
請求項１５記載の放送アーカイブ受信装置において、
前記再生制御手段は、入力手段からのコンテンツの再生位置の変更指示を受けることなく、視聴している番組のコンテンツ識別情報に基づき少なくとも１つ以上の経路から前記コンテンツを記録したアーカイブを検索し、さらに、検索された前記アーカイブに設定された再生可能期間に基づいて、再生位置の変更指示の操作が可能なトリックプレイ命令を示す情報を表示手段に提示し、表示手段が前記トリックプレイ命令を示す情報を出力することを特徴とする放送アーカイブ受信装置。
【請求項１７】
請求項１６記載の放送アーカイブ受信装置において、
前記再生制御手段が検索された前記アーカイブに設定された利用条件に基づいて、再生位置の変更指示の操作が可能なトリックプレイ命令とともに、トリックプレイ記号の中もしくは周辺に前記利用条件を示す情報を表示手段に提示し、表示手段が前記トリックプレイ命令及び前記利用条件を示す情報を出力することを特徴とする放送アーカイブ受信装置。
【請求項１８】
請求項１６記載の放送アーカイブ受信装置において、
前記再生制御手段が検索された前記アーカイブに設定された利用条件が対価を支払うことにより再生可能となる場合、ユーザが前記アーカイブへの切り替えを選択すると同画面もしくは別画面で前記利用条件を提示し、支払いを行うことを事前確認する画面の情報を表示手段に提示し、表示手段が出力することを特徴とする放送アーカイブ受信装置。
【請求項１９】
請求項１１乃至１８のいずれかに記載の放送アーカイブ受信装置において、
前記再生制御手段が前記アーカイブの検索時に、前記視聴している番組に付与された情報と検出されたアーカイブに付与された情報により、前記アーカイブの正当性を判断する認証を行うことを特徴とする放送アーカイブ受信装置。
【請求項２０】
請求項１９記載の放送アーカイブ利用方法において、
前記再生制御手段が前記認証を行うときに、前記アーカイブの在り処が暗号化されており、前記視聴している番組に付与された情報と検出されたアーカイブに付与された情報をあわせて、暗号が解けることにより前記アーカイブの正当性を判断する認証を行うことを特徴とする放送アーカイブ受信装置。
【発明の詳細な説明】
【技術分野】
【０００１】
本発明はスケジュールに従って配信されるコンテンツを配信し、さらに前記コンテンツを記録したアーカイブをＶＯＤ等で提供するシステムに関し、現在視聴中のスケジュールに従って配信されるコンテンツのアーカイブを利用する方法及びアーカイブ受信装置に関するものである。
【背景技術】
【０００２】
ＨＤＤやＤＶＤ等の記憶媒体を内蔵したビデオレコーダーの登場、普及によりユーザは見たい放送番組をいったん記憶媒体へ録画しておき、後で視聴するといった視聴形態が一般的になった。そこで、視聴を一時停止させ、後で停止させたところから追いかけて再生するといった「追っかけ再生」機能を搭載した受信装置が出現してきた。但し、この受信装置では、多くの番組を録画しすぎることにより、記憶媒体の容量があふれることにより、必ずしもすべての放送番組を録画することができなかった。
【０００３】
そこで、例えば特許文献１にあるように配信サーバ側にある蓄積装置を私的にユーザが利用し、ユーザが放送番組の録画指示によって録画するか、若しくはユーザが視聴している放送番組をユーザの指示の一定量前から常に録画しておき、配信サーバの蓄積装置を利用して追いかけて視聴するというものがある。これによって受信装置側の記憶媒体があふれたとしても、配信サーバ側の蓄積装置に記憶することにより「追っかけ再生」視聴ができるようになる。
【０００４】
さらに、特許文献２にあるように配信サーバが放送番組をアーカイブとして蓄積しておき、過去の放送番組をユーザがリクエストすることによって対応するアーカイブをオン・デマンドで配信するというものがある。これによってユーザが放送番組を録画し忘れていても過去の放送番組を視聴することができる。
【特許文献１】特開平１１−１７７９６２号公報
【特許文献２】特開２００１−１４５０８７号公報
【発明の開示】
【発明が解決しようとする課題】
【０００５】
しかしながら、前記従来の構成では、「追っかけ再生」が出来たとしてもユーザが録画した番組しか視聴できないという課題があった。また、配信サーバが蓄積していても配信サーバへリクエストできる番組は番組単位であるため、現在視聴中の放送番組に対してリクエストを出した場合、配信サーバにあるアーカイブの放送済み部分と未放送部分で異なる利用条件をセットした場合に受信装置で対応できないという課題があった。
【０００６】
本発明は、前記従来の課題を解決するもので、現在放送中の放送番組をユーザが途中から視聴したとしても前記放送番組の未放送部分と放送済みの部分を識別して検索し、それぞれの利用条件による再生可否判断を行い、受信することを目的とする。
【課題を解決するための手段】
【０００７】
前記従来の課題を解決するために、本発明の放送アーカイブ利用方法は、視聴中のスケジュールに従って配信されるコンテンツにおいて、外部からの入力信号をもとに変更された再生位置から再生できるかを判定し、再生できない場合は前記コンテンツを識別する識別子とその再生位置をパラメータとして再生可能なアーカイブを検索し、アーカイブを利用するための対価を支払うことにより再生可能となる条件による再生可否判断を行い、そのアーカイブを受信できる経路へ切り替えることにより、上記再生位置から再生することが可能となる。
【０００８】
本発明はまた、前記視聴中のコンテンツから検索した前記アーカイブの利用するための条件が前記アーカイブの対価を支払うことである場合に、前記対価及び決済の事前確認を画面上に出力し、ネットワーク上で決済することによって前記アーカイブが有料であっても前記再生位置から再生することが可能となる。
【０００９】
本発明はまた、自動的に視聴中の前記コンテンツのアーカイブを検索し、そのアーカイブの再生可能期間を示す情報を収集することで、その再生可能期間から操作可能なトリックプレイ命令を導き出し、表示手段の画面上に出力することができる。よって利用できる前記アーカイブを事前にユーザに提示することが可能となる。
【００１０】
本発明はまた、前記アーカイブへの検索が前記現在視聴中のコンテンツからであるということを認証するため、前記現在視聴中のコンテンツ及び前記アーカイブに固有の付与コードを付与し、前記２つの付与コードを比較することによって前記アーカイブへの検索の正当性を判断することが可能となる。
【００１１】
なお、アーカイブを利用するための条件はユーザの属性情報や操作履歴、視聴履歴であってもよい。
【発明の効果】
【００１２】
本発明の放送アーカイブ利用方法によれば、視聴中の番組であってもユーザはビデオ操作のトリックプレイ等を指定すれば、自動的に視聴中の番組に対するアーカイブを検索し、そのアーカイブに表示を切り替えるため、ユーザは録画していない番組を途中から視聴しはじめてもアーカイブを利用するための条件を満たせば番組の過去部分を視聴することができる。
【００１３】
また、アーカイブを利用するための条件を満たせば番組の未来部分を視聴することもできる。
【００１４】
さらに、視聴している番組に対するアーカイブを自動的に検索し、操作可能なトリックプレイを提示するため、番組視聴中のユーザの操作性が向上する。
【発明を実施するための最良の形態】
【００１５】
以下本発明の実施の形態について、図面を参照しながら説明する。
【００１６】
（実施の形態１）
図１はスケジュールに従って配信されるコンテンツの記録・管理を行う放送アーカイブの中から所望のアーカイブを検索し、検索した結果得られた経路からアーカイブを受信する、本発明の第１の実施の形態に係る放送アーカイブ受信装置の全体構造を表すブロック図である。
【００１７】
ここで、コンテンツとは映像、音声、音響、文字、図形、グラフィックを少なくとも一つ含むデータ及びプログラムであり、そのコンテンツを記録したものをアーカイブと呼ぶ。本実施の形態ではスケジュールに従って配信されるコンテンツの一例として放送番組（以下、番組と呼ぶ）を用いて説明する。
【００１８】
図１の放送アーカイブ受信装置は、外部からの入力を受け付ける入力手段１０１と、入力手段１０１から受け付けた入力信号をもとに番組の再生位置を変更する再生位置変更手段１０２と、再生位置変更手段１０２によって再生位置に変更があったときに番組を再生することができるかを判定し、再生できない場合は再生可能な受信経路の検索を指示する再生制御手段１０３と、再生制御手段１０３に従い、再生可能な受信経路の検索を実行するアーカイブ検索手段１０４と、再生制御手段１０３に従い画面に出力する番組の受信経路を切り替える受信経路切替手段１０５と、受信経路切替手段１０５により切り替えられた経路を通してコンテンツを受信する処理を行なう受信手段１０６と、受信手段１０６により受信されたコンテンツを出力する表示手段１０７とより構成される。
【００１９】
＜入力手段１０１＞
入力手段１０１は、放送アーカイブ受信装置を操作するユーザから再生位置の変更指示の入力が行なわれる入力手段であり、その入力信号を再生位置変更手段１０２に渡す。入力信号としては、番組を識別するための識別子（番組ＩＤ）と、ビデオ操作におけるトリックプレイ種別がある。トリックプレイ種別としては、ビデオ操作の「巻戻し」「早送り」「一時停止」などや、番組の再生位置を直接的に指定する「番組先頭」（前記番組の開始位置から再生）、「リアルタイム」（本放送）などがある。
【００２０】
入力を行う方法としては、テレビやビデオのリモコン操作やマウス、キーボート、リモコンの上下キーを利用して画面上のアイコンを選択したり、音声による選択等がある。
【００２１】
なお、入力信号に番組ＩＤがなく、トリックプレイ信号だけであった場合、放送アーカイブ受信装置内部で現在視聴している番組の番組ＩＤを保持しておき、入力手段１０１はその番組ＩＤを利用してもよい。
【００２２】
＜再生位置変更手段１０２＞
再生位置変更手段１０２は、入力手段１０１から受け取った信号に基づいて、現在視聴中の番組ＩＤが示す番組の時間的な位置（再生位置）を変更する。図２は再生位置変更手段１０２において上記再生位置を変更するときに利用するテーブルの一例である。
【００２３】
図２において、まず入力信号が「巻戻し」の場合は、現在の再生位置からＮ（秒）をマイナスする。また、入力信号が「早送り」の場合は、現在の再生位置にＮ（秒）をプラスする。入力信号が「番組開始」の場合は、再生位置を前記番組の開始時刻にセットする。入力信号が「リアルタイム」の場合は、再生位置を現在時刻にする。入力信号が上記以外の場合は再生位置を変更しない。
なお、再生位置の変更単位を秒としているが、フレームでもよく、またその単位の精度は問わない。
【００２４】
＜再生制御手段１０３＞
図１０は再生制御手段１０３のサブブロックを説明するブロック図である。図１０を用いて再生制御手段１０３の機能を説明する。
・再生可否判断部１０３１
再生可否判断部１０３１は再生位置変更手段１０２から現在再生している番組の番組ＩＤとオフセット再生位置を受け取り、現在再生中のコンテンツが与えられたオフセット再生位置でも再生できるかどうかを判断する。
・検索指示部１０３２
検索指示部１０３２は、再生可否判断部１０３１で現在のコンテンツでは再生不可と判断された場合に呼び出され、番組ＩＤとオフセット再生位置が渡される。検索指示部１０３２は受け取った番組ＩＤとオフセット再生位置を検索キーワードとしてアーカイブ検索手段１０４にアーカイブの検索を要求する。その後、アーカイブ検索手段１０４から受け取った検索結果である在り処、利用条件と番組ＩＤ、オフセット再生位置をアーカイブ判定部１０３３に渡す。
・アーカイブ判定部１０３３
アーカイブ判定部１０３３は受け取った利用条件による再生可否判断を行う。具体的には検出されたアーカイブに利用条件が設定されていた場合、利用条件を利用条件管理部１０３４から検索し、利用条件を満たすかを調べる。利用条件を満たす場合には受信経路切替手段１０５にアーカイブの番組ＩＤ、在り処、オフセット再生位置を渡す。
・利用条件管理部１０３４
利用条件管理部１０３４はユーザのＩＤなどの個人情報やアーカイブの未来部分などアーカイブの全部もしくは一部を一定期間視聴可能な会員契約情報、アーカイブの未来部分視聴やアーカイブ視聴などの購入情報、クレジットカード番号や決済限度額などの決裁可能情報、また、現在視聴中の番組の視聴履歴（何分視聴したかなど）やＣＭの視聴履歴を含めた視聴履歴を管理する。
以上のように再生制御手段１０３は４つの機能ブロックから構成されている。
【００２５】
以下において再生制御手段１０３全体の処理フローを説明する。図３は再生制御手段１０３における制御動作を説明する処理フロー図である。図３において、まずＳ０１にて入力手段１０１からの再生位置の変更指示入力による再生位置の変更を検知する（再生可否判断部１０３１）。
【００２６】
再生位置が変更されていた場合、Ｓ０２にて現在視聴している番組のコンテンツ種別により再生位置が再生可能期間を外れているかを比較し、期間外の場合は受信経路の変更が必要であると判定する（再生可否判断部１０３１）。
【００２７】
ここで図４の例を用いてＳ０２の判定方法について説明する。まずコンテンツ種別が「リアルタイム放送」、つまり現在放送中の番組を選局している場合、再生位置が現在時刻以外であれば受信経路を切り替える必要があると判定する。また、コンテンツ種別が「過去再生アーカイブ」、つまり番組開始から現在放送している箇所まで再生可能な場合、再生位置が番組開始時刻から現在時刻の範囲であれば受信経路を切り替える必要がないと判定し、この範囲外（再生位置が未来を指す）であれば受信経路を切り替える必要があると判定する。また、コンテンツ種別が「完パケアーカイブ」、つまり番組開始から番組終了まで再生可能な場合、再生位置＝現在時刻であれば受信経路を切り替える必要があると判定する。
【００２８】
次に、Ｓ０２にて受信経路の変更が必要であると判定された場合、Ｓ０３にてアーカイブ検索手段１０４に対して番組を一意に識別するための識別子（番組ＩＤ）とそのオフセット再生位置（＝再生位置−番組開始時刻）をパラメータとして渡し、全ネットワーク内でその番組のオフセット再生位置部分のアーカイブが提供されているかを問い合わせ、検出されたアーカイブを受信するための経路とアーカイブの在り処とアーカイブの利用条件を受け取る（検索指示部１０３２）。
【００２９】
Ｓ０３にて再生可能なアーカイブが検出できた場合は、Ｓ０４にてアーカイブの利用条件が満たされるかを調べる（アーカイブ判定部１０３３）。Ｓ０４のアーカイブの利用条件が満たされるかを調べるという判断の具体例として図６を用いて説明する。状況として、現在視聴している１時間番組の番組ＩＤは１００１であり、開始時刻からすでに３０分が経過しているとする。また、利用条件管理部１０３４の購入情報には番組ＩＤ＝１００１、利用条件「３００円」の番組が存在している。その状況でオフセット再生位置が４０分の未来部分を検索しようとした場合、まず番組ＩＤ＝１００１を探し、リスト番号１、２、３が検出される。次に、再生可能期間としてＮＯＷに０：３０を入れて先ほど検出されたリストの再生可能期間とオフセット再生位置である０：４０とを比較、検索し、リスト番号３が検出されることとなる。その後、検出した番組の利用条件が３００円であることから有料番組であることを判断し、番組ＩＤ、利用条件を用いて利用条件管理部１０３４の購入情報を検索する。図１４は利用条件管理部１０３４で管理されている購入番組リストを示す表であり、例えば番組ＩＤが１００１で３００円を支払わなければ利用できない部分を提供するアーカイブであるがすでに３００円を支払って購入しており、利用できることを意味している。図１４のような表を番組ＩＤ、利用条件を用いて検索キーとして検索する。番組は購入番組リストにあるので利用可能番組、つまり、利用条件は満たされたと判断する。また、図１４の番組ＩＤが１００３のアーカイブのように利用条件は対価などの課金以外にアーカイブ会員のように事前に対価を支払う会員制にしてもよい。
【００３０】
また、会員も過去番組の会員や未来番組の会員など再生可能期間によって分けてもよい。なお、アーカイブの検索を番組ＩＤ、再生可能期間、利用条件というパラメータで検索することを明示するため図６のような表を用いて説明したが、本発明がこの表になんら依存するものではない。
【００３１】
さらに利用条件管理部１０３４の管理している情報の一部である購入番組リストが番組ＩＤ、利用条件というパラメータを保持していることを明示するために図１４のような表を用いて説明したが、本発明がこの表になんら依存するものではない。
【００３２】
利用条件を満たすアーカイブが存在すればＳ０５にて受信経路切替手段１０５に対してその受信経路を指定する。
【００３３】
なお、Ｓ０２にて再生可能と判断されなかった場合及びＳ０３にて再生可能な経路を検出できなかった場合、さらにはＳ０４にて前記アーカイブの利用条件が満たされなかった場合にはＳ０６として受信経路を変更しない。
【００３４】
ここで、Ｓ０４にて、切り替える受信経路の種類としては、放送網、通信網、受信機のHDD 等のうちの少なくとも１つ以上がある。また、さらに経路内を細かく分けると、放送網の場合にはＢＳ、ＣＳ、地上波などがあり、チャネル番号等で指定する。通信網の場合はＵＲＬ（Uniform Resource Locator）形式やＵＲＩ（Uniform Resource Identifier ）形式等で指定する。受信機ＨＤＤの場合には、ローカルディレクトリパス（例としてはc:\topdir\local\aaa ）やＵＲＬ（Uniform Resource Locator ）形式等で指定する。
【００３５】
＜アーカイブ検索手段１０４＞
アーカイブ検索手段１０４は、再生制御手段１０３から受け取る、番組ＩＤとオフセット再生位置に基づき、ネットワークや受信機内ＨＤＤ等から、オフセット再生位置部分を含むアーカイブが提供されているかを検索し、検索されたアーカイブを受信するための経路と前記アーカイブの在り処と前記アーカイブの利用条件を再生制御手段１０３に返す。ここで、アーカイブ検索手段１０４にてアーカイブを検索するときの処理を説明する。アーカイブ検索手段１０４では、まず指定された番組ＩＤで検索を行ない、次にその番組の再生可能期間を参照し、指定された再生位置がその再生可能期間に含まれているかを比較し、含まれていれば指定された番組ＩＤと再生位置に対応する番組が検出できたこととする。
【００３６】
図５を用いて具体例を示す。まず状況として、現在視聴している１時間番組の番組ＩＤは１００１であり、開始時刻からすでに３０分が経過しているとする。その状況でオフセット再生位置が２０分の過去部分を検索しようとした場合、まず番組ＩＤ＝１００１を探し、リスト番号１、２、３が検出される。次に、再生可能期間としてＮＯＷに０：３０を入れて先ほど検出されたリストの再生可能期間とオフセット再生位置である０：２０とを比較、検索し、リスト番号２の番組が検出されることとなる。なお、アーカイブ検索のパラメータとして番組ＩＤ及び再生可能期間を用い、放送網や通信網など経路毎に各アーカイブのサーバへ問い合わせ、再生可能番組を検索することを明示するために図５のような表を用いて説明したが、本発明がこの表になんら依存するものではない。
＜受信経路切替手段１０５＞
受信経路切替手段１０５は、再生制御手段１０３からの通知を受け、画面に出力する番組の受信経路を切り替える。なお、受信経路切替後は受信経路ごとの仕様に基づき、前記番組ＩＤに対応するアーカイブを、所望の再生位置から再生する。
【００３７】
かかる構成によれば、外部からの入力信号をもとに変更された再生位置から再生できるかを判定し、再生できない場合は再生可能な受信経路を検索し、変更後の再生位置から再生可能な受信経路へ切り替えることにより、視聴中の番組で放送済みの部分を見つけ出せることとなり、番組の途中から見始めたとしても「巻戻し」等の操作によりその番組を最初から視聴することができる。
【００３８】
また、視聴中の放送番組でまだ放送されていない部分についてもアーカイブされている場合（図４の「完パケアーカイブ」の場合）、番組を視聴中に「早送り」等の操作により本放送よりも先にアーカイブを利用して視聴してもよい。
＜受信手段１０６＞
受信手段１０６は受信経路切替手段１０５が切り換えた受信経路から前記アーカイブを受信する。そして受信した前記アーカイブを表示手段１０７に渡す。
＜表示手段１０７＞
表示手段１０７は受信手段１０６から渡された前記アーカイブを出力する。
【００３９】
なお、本文記載の番組を一意に識別する番組ＩＤや番組開始時刻等の番組に関する情報は、例えば、ＭＰＥＧ２システムにおけるＳＩ（Service Information ）を利用したり、ＴＶ  Ａｎｙｔｉｍｅ  Ｆｏｒｕｍで規格化されているＣＲＩＤ(Content Referencing Identification)やメタデータの情報を利用してもよい。
【００４０】
また、受信手段１０６が受信する前記アーカイブはストリーム形式で伝送され、ＶＯＤ形式でユーザに提供されてもよいし、ファイル形式で伝送され、ＤＬ形式でユーザに提供されてもよい。
【００４１】
また、再生制御手段１０３の説明時にはアーカイブを検索後に利用条件による視聴制御を行う方法を記述したが、検索時の検索パラメータとして利用条件を付与してもよい。具体的には再生制御手段１０３からアーカイブ検索手段１０４へアーカイブを検索指示するときのパラメータとして、番組ＩＤとオフセット再生位置以外に、放送番組受信装置を識別するための識別子（端末ＩＤ）もしくはユーザを識別するための識別子（ユーザＩＤ）を渡し、アーカイブ検索手段１０４にて端末ＩＤもしくはユーザＩＤによるアーカイブの利用条件の利用可否判断を行ってもよい。
【００４２】
さらに、再生制御手段１０３からアーカイブ検索手段１０４へアーカイブを検索指示するときに、上記端末ＩＤもしくはユーザＩＤの属性情報として、前記番組の購入有無や前記番組の累積視聴時間等の情報をパラメータとして渡し、アーカイブ検索手段１０４にてそれらのパラメータをもとにアーカイブの利用条件による利用可否判断を行ってもよい。このようにアーカイブに利用条件を付加することにより、購入している人しか視聴中番組の過去部分のアーカイブを利用できなかったり、その番組を３０分間見ていないとアーカイブを利用できないといったことが可能となる。また、一つのアーカイブでもリアルタイム放送をはさんで過去の部分と未来の部分というように再生位置によって価格が異なるように設定されていた場合、過去の部分なら１００円払っていれば視聴可能だが、未来の部分なら３００円払わないと視聴できないというような利用条件設定も可能になる。
【００４３】
（実施の形態２）
図１１は本発明の第２の実施の形態に係る放送アーカイブ受信装置の再生制御手段１０３のサブブロックを説明した図である。この放送アーカイブ受信装置は、実施の形態１の図１０で説明した再生制御手段１０３のサブブロックに課金処理部１０３５を追加したものであり、異なる部分を中心に説明する。
【００４４】
課金処理部１０３５は、アーカイブ判定部１０３３からの課金処理要求を受け付け、ネットワーク上でユーザＩＤや端末ＩＤなど購入者を特定できる情報と番組ＩＤと再生可能期間を配信事業者に送り課金処理を行う。その後、課金処理が完了すると、アーカイブ判定部１０３３に課金処理完了を通知する。
【００４５】
その場合には、アーカイブ判定部１０３３の動作は検索指示部１０３２から検索されたアーカイブの番組ＩＤ、在り処、利用条件、オフセット再生位置を受け取り、番組ＩＤ、利用条件を用いて、利用条件管理部１０３４が管理している情報を検索し、利用条件が満たされているかを調べる。そして、利用条件が満たされず、さらに利用条件が課金種別の場合には、課金処理部１０３５に課金処理を要求し、処理が完了すれば、受信経路切替手段１０５に前記アーカイブへの切り替えを指示することとなる。
【００４６】
以上の動作を再生制御手段１０３の処理フローとして表したものが、図１２の処理フロー図である。
【００４７】
なお、利用条件が課金種別とはアーカイブに対して対価を支払うことによって再生可能となる利用条件の種別をさす。図１５はアーカイブの検索後に取得しているアーカイブの情報を表で表したものである。つまり、課金種別は利用条件種別の１種類である。利用条件とは図１５の利用種別と利用条件を含んでいる。
【００４８】
なお、図１５はアーカイブの利用条件の一部に利用条件種別があり、利用条件種別の１つの種類に課金種別が位置づけられていることを明記するために用いたが、本発明はなんら図１５の表に依存するものではない。
また、課金処理とは利用条件に記述された対価の決済を利用条件管理部１０３４で管理している決済可能情報を用いて、ネットワーク越しに行うことである。
【００４９】
図１２の処理フロー図は、図３の処理フロー図とＳ０１からＳ０３までは同じ処理を実行し、その後に利用条件が課金種別であるかを調べるＳ０７と課金処理を行うＳ０８処理と決済を行うかを問い合わせるＳ０９を追加したものである。
前記Ｓ０７とＳ０８、Ｓ０９の処理を中心に処理フローを説明する。
【００５０】
Ｓ０１からＳ０３までの処理は実施例１と同様である。Ｓ０４にて、前記アーカイブの利用条件が満たされるかを調べる(アーカイブ判定部１０３３）。そしてＳ０４にて、前記アーカイブの利用条件が満たされなかった場合、Ｓ０７にて前記アーカイブの利用条件が課金種別であるかを調べる（アーカイブ判定部１０３３）。その結果前記利用条件が課金種別であれば、Ｓ０９にてユーザの意思や、クレジットカード番号などの決済可能情報などから決済を行うかを調べる（アーカイブ判定部１０３３）。
【００５１】
そして、決済を行うことになれば、Ｓ０８にて前記アーカイブの課金処理を行う（課金処理部１０３５）。課金処理が完了すれば、Ｓ０５として、受信経路切替手段１０５に対してその受信経路を指定する。なお、Ｓ０７にて前記アーカイブの利用条件が課金決裁可能でなければＳ０６にて受信経路の切り換えはしない。
【００５２】
（実施の形態３）
ユーザの操作方法の一例をあげると、図７において再生制御手段１０３は、入力手段１０１からのコンテンツの再生位置の変更指示を受けなくても、ユーザが現在視聴している番組でトリックプレイ等の入力により再生位置の変更指示がなされたことを自動的に想定して、そのトリックプレイの入力による命令に対して再生制御手段１０３がアーカイブ検索手段１０４を用いてアーカイブを検索し、再生可能な受信経路を検索するようにしてもよい。そして、再生可能な受信経路を検出した場合には図８のように操作可能なトリックプレイ命令を所定の表示手段の画面上に表示してもよい。
【００５３】
図７は、トリックプレイ入力の自動想定に基づくアーカイブ検索およびトリックプレイ命令の表示を行なう、本発明の第３の実施の形態に係る放送アーカイブ受信装置の全体構成を表すブロック図である。この放送アーカイブ受信装置は、受信経路切替手段１０５により切り替えられた経路を通してコンテンツを受信する処理を行なう受信手段１０６と、受信手段１０６により受信されたコンテンツを出力する表示手段１０７を備えているのに加え、再生制御手段１０３に接続された操作系表示手段１０８を有して成る。この放送アーカイブ受信装置においては、再生制御手段１０３は、ユーザが現在視聴している番組でトリックプレイ等の入力により再生位置の変更指示がなされたことを自動的に想定して、そのトリックプレイの入力による命令に対して再生制御手段１０３がアーカイブ検索手段１０４を用いてアーカイブを検索する。このアーカイブ検索において、再生可能な受信経路が検出された場合には、再生制御手段１０３から操作系表示手段１０８に対してトリックプレイの表示命令が出力され、図８に示されるように操作可能なトリックプレイ命令が操作系表示手段１０８の画面上に表示される。
【００５４】
図８の２０１は操作可能なトリックプレイ命令を操作系表示手段１０８の画面に表示した一例である。２０２はビデオ操作の「巻戻し」、２０３は「一時停止」、２０４は「早送り」を示し、２０２と２０３は操作可能であることを示す。他方、２０４は網かけまたはマスク表示がなされ操作不可であることを示す。このとき、操作可能なトリックプレイ以外の入力を受け付けなくしたり、もしくは操作可能なトリックプレイ以外の入力を再生位置変更手段１０２が受けた場合、再生位置の変更はなしとしてもよい。
【００５５】
また、操作可能なトリックプレイ命令の入力を受けた場合、再生制御手段１０３にて以前に検索したときの受信経路をトリックプレイと対応付けて記憶しておき、アーカイブ検索手段１０４に問い合わせることなく、受信経路切替手段１０５に切替指示を行っても良い。
【００５６】
さらに、別のトリックプレイの提示方法として、ユーザが現在視聴している番組の番組ＩＤを入力手段１０１から入力し、再生位置変更手段１０２経由で再生制御手段１０３が受け取りアーカイブ検索手段１０４に渡す。アーカイブ検索手段１０４は、全経路の中からその番組ＩＤに対応するアーカイブを検索する。そして、その検出した番組リストの再生可能期間を参照し、例えば図９のようなテーブルを用いて再生可能期間から操作可能なトリックプレイを導き出し、導出したトリックプレイ命令を操作系表示手段１０８の画面上に提示してもよい。例えば、１９：００からの番組で現在時刻が１９：３５の時に、前記番組の再生可能期間が１９：００〜１９：３５であったとする。そうすると、図９のＮＯＷに１９：３５が入るため、番号１に該当することとなり、図８のように「巻戻し」と「一時停止」を画面上に出力する。
【００５７】
なお、検出されたコンテンツが有料番組であった場合、操作可能なトリックプレイ記号の周囲や記号の中に金額を提示してもよい。
【００５８】
また、上記検出されたコンテンツが有料番組であった場合、前記トリックプレイが選択されると、同画面もしくは別画面で料金が提示され、支払いを行うことを事前確認する表示を提示してもよい。
【００５９】
なお、上述の実施の形態３において、表示手段１０７と操作系表示手段１０８とは一体とし、コンテンツとトリックプレイ命令とを同じ画面上に出力してもよい。この場合は、コンテンツおよびトリックプレイが１つのテレビ画面に表示される。
【００６０】
（実施の形態４）
図１３は本発明の第４の実施の形態に係る放送アーカイブ受信装置の中の再生制御手段１０３のサブブロックを説明した図である。
【００６１】
図１３の再生制御手段１０３は、実施の形態２の図１１に認証部１０３６が追加されたものである。また、再生制御手段１０３以外では操作系表示手段１０８が追加されているが、操作系表示手段１０８については図７を用いて実施の形態３で説明しているので省くこととする。
なお、番組には番組固有の付与コードが番組ＩＤとは別に付与されているものとし、さらにアーカイブ検索時にもアーカイブ固有の付与コードを取得できるものとする。
【００６２】
認証部１０３６は現在視聴中の番組のアーカイブを検索した時に、検索指示部１０３２から現在視聴中の番組に付与された付与コードと検索されたアーカイブの付与コードを受け取り２つの付与コードを比較する。２つの付与コードが一致すれば認証ＯＫを検索指示部１０３２に渡し、一致しなければ認証ＮＧを検索指示部１０３２に渡す。
【００６３】
さらに、前記実施の形態１と受け渡しする情報および動作に変更のあるブロックを説明する。再生位置変更手段１０２から再生可否判断部１０３１へ送られる情報は、現在視聴中の番組の番組ＩＤ、オフセット再生位置に加えて、番組の付与コードとなる。再生可否判断部１０３１は、再生位置変更手段１０２から現在視聴中の番組ＩＤ、オフセット再生位置、付与コードを受け取り、検索指示部１０３２へ同様に現在視聴中の番組ＩＤ、オフセット再生位置、付与コードを渡す。検索指示部１０３２は、再生可否判断部１０３１から前記視聴中の番組の番組ＩＤ、オフセット再生位置、付与コードを受け取る。そして、検索指示部１０３２はアーカイブ検索手段１０４に前記視聴中の番組の番組ＩＤとオフセット再生位置を渡す。アーカイブ検索手段１０４は、受けた視聴中の番組ＩＤ、オフセット再生位置からアーカイブを検索し、検出されたアーカイブの在り処、利用条件に加えて、前記アーカイブの付与コードを検索指示部１０３２に渡す。その後、検索指示部１０３２は、認証部１０３６に番組の付与コードと前記アーカイブの付与コードを渡す。そして、認証ＯＫが帰ってくれば、アーカイブ判定部１０３２へ前記アーカイブの番組ＩＤ、在り処、利用条件、オフセット再生位置を渡す。また、認証ＮＧが返ってきた場合には検出されたアーカイブはなしとして処理を終了する。
【００６４】
なお、ここで説明しなかったブロックは前記実施の形態２からなんら動作、受け渡しする情報共に変更はない。さらに、再生位置変更手段１０２及びアーカイブ検索手段１０４、再生可否判断部１０３１に関しては前記実施の形態２と動作に変更がないため動作の説明は省略した。
【００６５】
なお、付与コードは、１０桁のビット列でもよいし、１５桁の数字でもよいし、２０桁の文字列でもかまわない。
【００６６】
なお、認証に関して、現在視聴中の番組の付与コードと検出したアーカイブの付与コードを別々のものを用意し、アーカイブの付与コードを前記アーカイブに対する署名であるとし、番組の付与コードをアーカイブの付与コードである署名を証明する証明書としてもよい。
【００６７】
また、認証後のアーカイブへのアクセスに関して、ここでは２つの付与コードが一致しなければ、処理終了と受信機が判断していたが、２つの付与コードが証明書と署名であれば、あらかじめ、アーカイブの在り処が暗号化されており、証明書と署名があって初めて暗号が解けるようにしてもよい。さらに、２つの付与コードを合わせて一つの文字列となるようにしてもよい。
【００６８】
つまり、２つの付与コードをあわせて１つの文字列となるのであれば、あらかじめ在り処は記述されておらず、受信装置ではあわせてできあがった文字列が当該アーカイブの在り処を示していると認識してもよいし、在り処へのアクセス時のサーバ側でのパスワードとしてもよい。
【００６９】
以上の実施の形態のいずれの場合においても、各手段は番組を受信する装置側の構成としているが、これに限ったものではない。例えば、アーカイブ検索手段１０４は番組を送信する装置側の構成であってもよく、その場合は受信側の再生制御手段１０３と送信側のアーカイブ検索手段１０４間は双方向通信のネットワークで構成される。
【産業上の利用可能性】
【００７０】
本発明にかかる放送アーカイブ受信装置は、視聴中の放送番組を放送中にＶＯＤ等で提供するシステムにおいて有用である。
【図面の簡単な説明】
【００７１】
【図１】本発明の第１の実施の形態に係る放送アーカイブ受信装置の全体構成を表すブロック図
【図２】前記第１の実施の形態の再生位置変更手段における再生位置変更テーブルを示す図
【図３】前記第１の実施の形態の再生制御手段における処理フロー図
【図４】前記第１の実施の形態の再生制御手段における受信経路切替判定テーブルを示す図
【図５】前記第１の実施の形態における視聴中の番組の操作可能なトリックプレイの検出における検出番組テーブル例を示す図
【図６】前記第１の実施の形態における視聴中の番組の操作可能なトリックプレイの検出において利用条件を加えた検出番組テーブル例を示す図
【図７】本発明の第３の実施の形態に係る放送アーカイブ受信装置の全体構成を表すブロック図
【図８】本発明の第３の実施の形態における視聴中の番組において操作可能なトリックプレイを表示した画面例を示す図
【図９】本発明の第３の実施の形態における利用可能なトリックプレイの検出において検出した再生可能期間から操作可能なトリックプレイへの変換テーブル例を示す図
【図１０】本発明の第1の実施の形態に係る再生制御手段のサブブロック構成を表すブロック図
【図１１】本発明の第２の実施の形態に係る再生制御手段のサブブロック構成を表すブロック図
【図１２】本発明の第２の実施の形態に係る再生制御手段における処理フロー図
【図１３】本発明の第４の実施の形態に係る再生制御手段のサブブロック構成を表すブロック図
【図１４】本発明の第１の実施の形態に係る利用条件管理部の管理する購入番組リストを表す表である。
【図１５】本発明の第２の実施の形態に係る視聴中の番組のアーカイブを検索後の検出番組テーブル例を示す図
【符号の説明】
【００７２】
１０１  入力手段
１０２  再生位置変更手段
１０３  再生制御手段
１０４  アーカイブ検索手段
１０５  受信経路切替手段
１０６  受信手段
１０７  表示手段
１０８  操作系表示手段
１００１  放送網
１００２  通信網
１００３  ＨＤＤ
１０３１  再生可否判断部
１０３２  検索指示部
１０３３  アーカイブ判定部
１０３４  利用条件管理部
１０３５  課金処理部
１０３６  認証部
２０１  テレビ画面
２０２  ビデオ操作における巻戻し
２０３  ビデオ操作における一時停止
２０４  ビデオ操作における早送り
【図１】
2005136974.tif 000003
【図２】
2005136974.tif 000004
【図３】
2005136974.tif 000005
【図４】
2005136974.tif 000006
【図５】
2005136974.tif 000007
【図６】
2005136974.tif 000008
【図７】
2005136974.tif 000009
【図８】
2005136974.tif 000010
【図９】
2005136974.tif 000011
【図１０】
2005136974.tif 000012
【図１１】
2005136974.tif 000013
【図１２】
2005136974.tif 000014
【図１３】
2005136974.tif 000015
【図１４】
2005136974.tif 000016
【図１５】
2005136974.tif 000017